(57)【要約】【課題】指紋認証装置であって、新たに入力手段を設けることなく安価に指紋認証率の精度を上げ、誤認証を減らす手段を提供することを目的とする。また、他者の指紋の誤認証を排除する排他率を高めることも目的とする。【解決手段】正規の操作者の指紋であるかを判断する指紋認証センサー２と、指紋認証センサーによる指紋走査と併せてキーを選択するキーボード３を備え、指紋認証センサーによって正規の操作者の指紋であると認証され、且つ登録されたキーが押されたとき正規の操作者の操作である判断する指紋認証装置であり、指紋認証装置自体の精度を上げたり、新たに入力手段を設けなくとも、指紋認証手段の認証率や排他率を上げ操作性を大きく改善することができる。【選択図】図２
2007289457.tif 000002
【特許請求の範囲】
【請求項１】
正規の操作者の指紋であるかを判断する指紋認証センサーと、
前記指紋認証センサーによる指紋走査と併せてキーを選択するキーボードと、
を備え、
前記指紋認証センサーによって正規の操作者の指紋であると認証され、且つ登録されたキーが押されたとき正規の操作者の操作である判断することを特徴とする指紋認証装置。
【請求項２】
前記指紋認証センサーへの入力タイミングを知らせる指紋認証用ＬＥＤをさらに備えたことを特徴とする請求項１に記載の指紋認証装置。
【請求項３】
正規の操作者の指紋であるかを認証する指紋走査ステップと、
登録済みキーが押されたかを判断するステップと、
正規の操作者の指紋であると認証され、且つ登録済みキーが押されたとき本人と認証するステップと、
を含むことを特徴とする指紋認証方法。
【発明の詳細な説明】
【技術分野】
【０００１】
本発明はパーソナルコンピューターなどの情報機器に搭載される指紋認証装置に関するものである。
【背景技術】
【０００２】
従来の指紋認証装置は、指紋認証誤りが発生した場合、再度読み取り操作を繰り返すことによって認証誤りを訂正していた。その際指紋の走査がずれている場合は、操作者に対して指の位置を修正するような指示を表示などによって与えるものもある。（例えば、特許文献１参照）。このように、指紋認証装置の精度によって認証が正しく行われない時は、正しく読み取れるまで読み取り操作を繰り返す必要があった。
【特許文献１】特開２００２−２８８６４３号公報
【発明の開示】
【発明が解決しようとする課題】
【０００３】
従来の構成では、指紋を走査し読み込むだけなので、指紋センサーの分解能やアルゴリズムによって他人の指紋を誤認証したり、本人の指紋であっても正しく認証しないことがあるという課題を有していた。
【０００４】
本発明は、上記従来の課題を解決するもので、新たに入力手段を設けることなく、安価に指紋認証手段の精度を上げ、誤認証を減らす手段を提供することを目的とする。
【０００５】
同時に、他者の指紋の誤認証を排除する排他率を高めることも目的とする。
【課題を解決するための手段】
【０００６】
上記従来の課題を解決するために、本発明の指紋認証装置は、キーボードなどの入力装置を併用して使用する。指紋認証装置だけで読み取り精度を上げ、誤認証を減らすのは困難であったが、装置構成を変えることなく、操作の組み合わせを認証アルゴリズムに組み込むことによって、認証率や排他率を高める。
【０００７】
本構成によって、指紋認証装置だけで読み取り精度を上げ、誤認証を減らすためには装置にコストがかかったり、装置が大きくなるなどのデメリットがあり、かつ技術的にも困難であったが、キーボードなどの他の入力装置を併用することで、走査の簡便さを維持しつつ、かつコストが上がるなどのデメリット無く認証率や排他率を高めることができる。
【０００８】
また、本発明の指紋認証装置は、入力操作を判り易くするためにＬＥＤ表示を指紋センサー操作部に設けることによって、指紋センサーへの入力タイミングを知らせ、操作性を大きく改善しようとしたものである。
【発明の効果】
【０００９】
本発明の指紋認証装置によれば、認証装置自体の精度を上げたり、新たに入力手段を設けなくとも、指紋認証手段の認証率や排他率を上げ、操作性を大きく改善することができる。
【発明を実施するための最良の形態】
【００１０】
以下本発明を実施するための最良の形態について、図面を参照しながら説明する。
【００１１】
（実施の形態１）
図１は、本発明の実施の形態１における指紋認証装置を実装したパーソナルコンピューターの概要を示す図である。
【００１２】
図１において、指紋認証センサー２はラインセンサーを搭載した指紋読み取り部であり、パーソナルコンピューター１の制御回路と有機的に関連して指紋認証装置を構成している。指紋認証用ＬＥＤ５は指紋認証センサー２への入力タイミングを知らせ、操作性を改善しようとするものである。キーボード３は、本発明では指紋認証センサーと同時に操作することで、指紋認証手段の認証率や排他率を上げるためにも使用するものである。なお、キーボード３は一部キーを省略して表記している。
【００１３】
図２は、本発明による操作手順を示すフローチャートである。
【００１４】
Ｓ１０１では、システムの指紋認証タイミングかどうかを判断している。通常指紋認証は、パスワードを入力する代わりに操作を簡便にするために指紋認証で置き換えて、使用者の認証を行うために使われることが多い。Ｓ１０１は、このパスワード入力タイミングをシステムが判断して、パスワード待ち又は指紋入力待ちの時、Ｓ１０１では‘Ｙ’と判断され、Ｓ１０２へ移行する。そうでないタイミングでは、Ｓ１０９へ移行し当該フローチャートでは何の処理も行われない。
【００１５】
Ｓ１０２では指紋入力タイミングであるので、図１の指紋認証用ＬＥＤ５を点灯させ、使用者に指紋入力タイミングであることを知らせるとともに指紋入力操作を促す。
【００１６】
Ｓ１０３では、使用者が図１の指紋認証センサー２に指を上方から下方へスライドさせることにより、指紋認証センサー２の構成要素であるラインセンサーにより指紋情報を読み取るための走査が行われる。
【００１７】
この読み取り走査が行われる時、Ｓ１０４でキーボード入力が指紋入力に組み合わせて使用されるかが判断される。
【００１８】
本発明では、指紋認証の認証率や排他率を高めるために、キーボード入力が組み合わせて使用できるようにしている。指紋認証センサー２と組み合わせて実装されるアプリケーションプログラムとによる判定ルーチンだけでは、本人である認証を行う時にかなり本人である確率が高いにもかかわらず、誤判定を恐れて本人で無いと判定する場合がある。本発明では、この判定情報を補うために、判定の補助手段としてキーボード入力を使えるようにしている。つまり、指紋認証の誤認証によって認証が無効になる率を下げる判定ルーチンとして、そのぶんキーボード入力により排他率を上げるように補償している。但し、キーボード入力は使わなくても良い。Ｓ１０４はキーボード入力を組み合わせて使うように設定しているかどうかを判定している。
【００１９】
Ｓ１０４でキーボード入力を組合せで使うように設定している場合はＳ１０５へ移行する。Ｓ１０５では、指紋走査時に同時にキーボード入力が使えるように設定されているかを判断している。
【００２０】
本発明では、キーボードの特定のキーの同時押しが使えるようにしている。例えば、数字キー１０個とアルファベットキー２６個の合計３６個のどれかが同時押しされるか、又は何も押されない場合１通りの合計３７通りの設定を可能とすることができる。この場合、Ｓ１０５で上記３６個のキーのどれかが押されていたときはＳ１０６へ移行する。どれもが押されていないときは、Ｓ１０４でキーボード入力の同時押しの組合せを使うように設定していると判断したにも関わらずキーボードが押されなかったのであるから、今回の指紋走査は無効として、Ｓ１０９へ移行し本人認証を無効とする。
【００２１】
Ｓ１０５で同時押しキーボード入力があったと判断された時は、Ｓ１０６へ移行し、そのキーボード入力が本人認証のために登録済みのキーであるかを判断する。同時押しされたのが登録済みのキーである時はＳ１０７へ移行し、入力された指紋走査データが本人のものであるかを判断し、本人のものであることが判断されれば、Ｓ１０８で指紋が本人のものとして処理される。Ｓ１０６で同時押しされたキーが登録されたものと違う時と、Ｓ１０７で指紋走査データが本人のものと違うと判断された時は、それぞれＳ１０９へ移行し、本人の指紋と認証しない処理を行う。
【００２２】
以上のような処理を行うことにより、同時押しのキーボード入力を、指紋走査データの判断の補助手段とすることができる。即ち、キーボード同時押しの入力を判断しているから、指紋走査データの判断では、本人のデータか判断に多少疑問が生じる場合でも、本人と判断することがより高い確率で正しいと言える。また、キーボード走査を間違えて入力している場合は、直ちに本人認証をやめるのであるから、より高い確率で他人を排除できる。
【００２３】
なお、キーボード上の押すキーはひとつであるように記載したが、複数のキーボードの同時押しであっても良いことは言うまでもない。
【００２４】
（実施の形態２）
図３は、図２のフローチャートで、Ｓ１０７をＳ１０３の次に移動したものである。この場合も、指紋走査データの判断をＳ１０７で実施した後に、キーボード同時押し入力による判断を加えるので、Ｓ１０７の、指紋走査データが本人のものであるかを比較的ゆるい判断基準で判断することができる。例えば、通常の指紋認証システムでは、本人の認証を誤る確率は１％〜２％程度である。本発明のキーボード同時押しを使う場合、前述のような３７通り（３６キー及び、キーボードを同時に使わない１通り）の選択肢があるとすると、１／３７にできるので、指紋認証アルゴリズムで、本人の認証を誤る確率が１０％であっても、その１／３７である、約０．３％程度にすることができるのである。
【００２５】
即ち、指紋認証アルゴリズムで本人のデータか判断に多少疑問が生じる場合でも、本人と判断することがより高い確率で正しいと言える。また、より高い確率で他人を排除することもできる。
【００２６】
また、必ずしもキーボード入力を必要とする設定だけでなく、キーボード入力しない設定も可能であることから、使い勝手を低下させないことも可能である。その場合でも、第三者がキーボード併用して悪意を持って指紋認証を試みる場合、キーボード入力されることによって本人でないことが判明するので排他率を上げることができる。
【００２７】
なお、本実施の形態では指紋走査後にキーボード入力をして認証判定をするとしたが、指紋走査後にパーソナルコンピューターのディスプレイ上に登録したキーボードを押すように促すメッセージを表示しても良いし、指紋認証用ＬＥＤを点滅させてキーボード押しを促すメッセージの代わりとしても良い。
【産業上の利用可能性】
【００２８】
本発明にかかる指紋認証装置は、認証率や排他率を上げ操作性を大きく改善することが可能になるので、セキュリティーの向上や指紋認証装置のコスト低減等として有用である。
【図面の簡単な説明】
【００２９】
【図１】本発明の実施例の装置概要図
【図２】本発明の第１実施例の操作手順を示すフローチャート
【図３】本発明の第２実施例の走査手順を示すフローチャート
【符号の説明】
【００３０】
１  パーソナルコンピューター
２  指紋認証センサー
３  キーボード
４  タッチパッド
５  指紋認証用ＬＥＤ
【図１】
2007289457.tif 000003
【図２】
2007289457.tif 000004
【図３】
2007289457.tif 000005